(57)【要約】【課題】　高さ調整可能とするボルト型支持脚の先端に特定の性状のゴム座を配置してなるユニットル−ムの支持脚に係り、ゴム材のばね定数を特定し従来の課題を解決し、更にユニットル−ムに生じるであろう課題を改良せんとした。【解決手段】　ユニットル−ムの裏側に装着される高さ調整可能な支持脚であって、ユニットル−ムの裏側にナット型受座とこれに螺合されるボルト型脚と、このボルト型脚の先端に配設されたゴム座とからなり、当該ゴム材のばね定数を１０００〜１５００Ｎ／ｍｍとしたユニットル−ムの防音支持脚。１‥防水パン、２‥補強材、３‥ナット型受座、４‥ボルト型脚、５、６‥止めナット、７‥ゴム材。【選択図】　図１
2004137879.tif 000002
【特許請求の範囲】
【請求項１】
　ユニットル−ムの裏側に装着される高さ調整可能な支持脚であって、ユニットル−ムの裏側にナット型受座とこれに螺合されるボルト型脚と、このボルト型脚の先端に配設されたゴム座とからなり、当該ゴム材のばね定数を１０００〜１５００Ｎ／ｍｍとしたことを特徴とするユニットル−ムの防音支持脚。
【請求項２】
　ユニットル−ムが、ユニットバスル−ムである請求港１記載のユニットル−ムの防音支持脚。
　　　　　　　　　　　　　　　　　　　　　　　　　　　　　　　　　　　　　　　　
【発明の詳細な説明】
【技術分野】
【０００１】
　本発明はユニットバスル−ムの防水パン、トイレユニット、フロアユニット（以下、単にユニットル−ムという）の支持脚に関するものであり、更に詳しくは、騒音や衝撃音が階下に伝搬するのを低減させた防音支持脚に係るものである。
【背景技術】
【０００２】
　ユニットル−ムの支持脚は、防水パン等の裏面に金属部材のみのボルトを取り付けるのが一般的であり、ボルトの先端に合成樹脂製のキャップをする場合もある。この構造のものにあっては、ユニットル−ム内で発生する例えば洗面器を防水パン上に落とした際の衝撃音や排水の際の水の騒音が特に階下へ伝搬することが懸念される。
【発明の開示】
【発明が解決しようとする課題】
【０００３】
　本発明は、高さ調整可能とするボルト型支持脚の先端に特定の性状のゴム座を配置してなる防水パンの支持脚に係るものであり、用いられるゴム材のばね定数を特定したことにとって従来の課題を解決し、更に防水パンに生じるであろう課題を改良せんとしたものである。
【課題を解決するための手段】
【０００４】
　本発明は以上の課題を解決するためになされたものであって、その要旨は、ユニットル−ムの裏側に装着される高さ調整可能な支持脚であって、ユニットル−ムの裏側にナット型受座とこれに螺合されるボルト型脚と、このボルト型脚の先端に配設されたゴム座とからなり、騒音や衝撃音が階下に伝搬するのを低減させ、更には、静荷重に対する防水パンの撓み、及び横ゆれを抑制するため、更には、１０００〜１５００Ｎ／ｍｍのばね定数を有するゴム材であることを特徴とする。
【発明の効果】
【０００５】
　本発明は以上の通り、ボルト型脚の先端に特別に選択されたゴム特性を有するゴム材を装着したものであり、このため、ユニットル−ム上での騒音の伝搬が低減され、しかもこの特別なゴム材を用いたことによる他の部材との取り合いの面でも十分耐久性のあることが証明されたものである。
【発明を実施するための最良の形態】
【０００６】
　図３に従来から使用されているユニットバスル−ムの防水パンの支持脚の側面図を示すが、基本的に防水パン１の裏側に配設された補強材２にナット型受座３とこれに螺合されたボルト型脚４、そして、止めナット５にて構成されている。このため、防水パン１上にて起こる騒音や衝突音はボルト型脚４を通じて直接階下或いは隣戸に伝搬してしまい、特に集合住宅にあっては騒音の問題が生じている。
【０００７】
　しかるに、ボルト型脚４の先端にゴム材をあてがうというアイデアも考えられるが、ゴム材の選択を誤ると防水パンが撓んだり、横ゆれが生じたりして逆の問題が発生することがあり、更に、ゴム材を用いたことによる防水パンの動きが大きくなると、防水パンと他の部材との目地部の止水、防水パンに連なる配管、ドアの取り付け部の不具合の発生や、耐久性を大きく低下させるものであった。以上のような問題点は、同様の他のユニットル−ムでも同様である。
【０００８】
　本発明はボルト型脚の先端に装着するゴム材にあって、特にゴム材の持つばね定数を特定することによって上記の各問題点を解決できることを見出し、本発明に到達したものであり、ばね定数を１０００〜１５００Ｎ／ｍｍに特定したことにより、階下や隣戸に対する音の伝搬を低減でき、更に、ユニットル−ムの撓みや横ゆれの問題が解決されることとなったものである。
【０００９】
　ばね定数の１０００〜１５００Ｎ／ｍｍに限定した理由は以下の通りである。ばね定数の特定には、（ａ）ユニットル−ムの床衝撃で発生した振動の伝搬を低減させる、（ｂ）ただし、ユニットル−ムの床としての基本性能は満足する、の２点を満足しなくてはならない。しかるに、（ａ）と（ｂ）は相反するところがあり、ユニットル−ムにおける振動伝搬の低減には簡単に柔らかいゴムを使うと効果を増すが、撓みや横ゆれが大きくなる。そして、この撓みが大きくなると、ユニットル−ム自体の接合部（床−壁、壁−壁）の止水性が損なわれたり、給水・給湯、排水の配管との接合部に不具合を生じさせる原因になってしまう。本発明はこの両者の性能を満足するために、特にばね定数を１０００〜１５００Ｎ／ｍｍに特定したものである。
【実施例】
【００１０】
　図１は本発明におけるユニットル−ムの内、例えばユニットバスル−ムにおける防水パンの支持脚の側面図であり、ＦＲＰ製の防水パン１の補強材２にナット型受座３が装着され、これに螺合するボルト型脚４、止めナット５、６及びボルト型脚４の先端に図示する形状のゴム材７が装着されている。ボルト型脚４の長さは１００ｍｍ、太さ１５ｍｍ、ゴム材７の高さは２５ｍｍ、直径６０ｍｍである。
【００１１】
　尚、各測定方法は、ばね定数測定：ＪＩＳ　Ａ　６３８５、床衝撃音測定：ＪＩＳ　Ａ　１４１８（タッピングマシン法）、撓み測定：ベタ−リビング試験ＢＬＴ　ＢＵ−０８、及びＪＩＳ　Ａ　４４１９に準拠して行った。
【００１２】
　（階下への音の伝搬テスト）
　図２は図１の防水パン１上の衝撃音に対する階下への音圧レベルを示すグラフである。図中、Ａはばね定数を１２５０Ｎ／ｍｍ、Ｂはばね定数を１３５０Ｎ／ｍｍに特定したゴム材７を用いた本発明の支持脚の例であり、Ｃは従来のボルト単独使用による支持脚の例である。このように、各周波数において、音圧レベルの低下が見られ、従来の支持脚よりも極めて優れた支持脚が提供されたことが分かる。尚、Ａの場合のゴム硬度は４０度、Ｂの場合のゴム硬度は５０（ＪＩＳ・Ａ）であった。
【００１３】
　（撓みテスト）
　防水パン１６２０サイズ（ばね定数：１２５０Ｎ／ｍｍ、支持脚１２本）の洗い場中央撓み０．５５ｍｍ（規格では３ｍｍ以下）、排水口部撓み０．６４ｍｍ（規格１ｍｍ以下）であった。尚、横ゆれに関しては規格はないが、止水性や配管、額縁等との取り合いに経時的に不具合を発生させる可能性があるので、大き過ぎてはいけない。
【産業上の利用可能性】
【００１４】
　本発明は、ボルト型脚の先端に特別に選択されたゴム特性を有するゴム材を装着したものであり、このため、ユニットル−ム上での騒音の伝搬が低減され、しかもこの特別なゴム材を用いたことによる他の部材との取り合いの面でも十分耐久性がある。従って、ユニットバスル−ム、トイレユニット、更にはフロアユニット、キッチンユニット等、新築物件は勿論のこと、住宅やオフィスル−ムのリフォ−ムの際にも広く利用可能である。
【図面の簡単な説明】
【００１５】
【図１】図１は本発明の一例の防水パンの支持脚の側面図である。
【図２】図２は防水パン上の衝撃音の階下への音圧レベルを示すグラフである。
【図３】図３に従来から使用されている防水パンの支持脚の側面図である。
【符号の説明】
【００１６】
　１‥防水パン、
　２‥補強材、
　３‥ナット型受座、
　４‥ボルト型脚、
　５、６‥止めナット、
　７‥ゴム材、
　Ａ‥ばね定数を１２５０Ｎ／ｍｍとした際の音圧レベル、
　Ｂ‥ばね定数を１３５０Ｎ／ｍｍとした際の音圧レベル、
　Ｃ‥従来の金属支持脚を用いた際の音圧レベル。
　
【図１】
2004137879.tif 000003
【図２】
2004137879.tif 000004
【図３】
2004137879.tif 000005